(57)【要約】【課題】比誘電率が小さく、低損失化及び細径化が可能となされた同軸ケーブルを提供する。【解決手段】中心導体２と、中心導体２を被覆した絶縁体３と、絶縁体３の外側を覆う外部導体４とが同軸構造となされた同軸ケーブルであって、中心導体２を中空管から形成し、中心導体２外周面に螺旋状に溝７を形成し、溝７には、この溝７に沿って合成樹脂材料からなる中空パイプ９を埋設する。【選択図】図１
2013041766.tif 000002
【特許請求の範囲】
【請求項１】
中心導体と、この中心導体を被覆した絶縁体と、この絶縁体の外側を覆う外部導体とが同軸構造となされた同軸ケーブルであって、
前記中心導体は、中空管からなり、外周面には螺旋状に溝が形成されており、
前記溝には、この溝に沿って合成樹脂材料からなる中空パイプが埋設されている
ことを特徴とする同軸ケーブル。
【請求項２】
前記中空パイプの断面形状は、円形状、または、半円形状である
ことを特徴とする請求項１記載の同軸ケーブル。
【発明の詳細な説明】
【技術分野】
【０００１】
本発明は、同軸ケーブルに関し、特に、中心導体として中空管を使用した同軸ケーブルに関するものである。
【背景技術】
【０００２】
従来、携帯基地局などにおいては、外径２０ｍｍ以上のフィーダ同軸ケーブルが使用されている。この同軸ケーブルは、特許文献１に記載されているように、軽量化及び可撓性の向上のため、図６に示すように、中心導体として、銅パイプ１０１の外周面に螺旋状の溝１０３を設けたものが使用されている。
【０００３】
同軸ケーブルは、中心導体上に絶縁体が被覆され、この絶縁体上に外部導体が設けられ、この外部導体上を絶縁体からなるシースで被覆して構成されている。
【０００４】
図７に示すように、溝１０３が設けられた銅パイプ１０１からなる中心導体上に絶縁体１０５を被覆するには、まず、銅パイプ１０１の溝１０３内にポリエチレン（ＰＥ）樹脂１０９を充填し、銅パイプ１０１上にポリエチレン薄膜からなる内スキン１０７を被覆する。そして、内スキン１０７上に、高発泡体からなる絶縁体１０５を被覆する。
【０００５】
このように溝１０３内にポリエチレン樹脂１０９を充填して内スキン１０７を設けるのは、高発泡体からなる絶縁体１０５の外周面を平滑な面とするためである。内スキン１０７を設けないと、絶縁体１０５が溝１０３内に進入し、絶縁体１０５の外周面には、銅パイプ１０１に設けられた溝１０３に沿って、凹みが発生するからである。
【先行技術文献】
【特許文献】
【０００６】
【特許文献１】特開２００３−２１７３６４号公報
【発明の概要】
【発明が解決しようとする課題】
【０００７】
ところで、前述した同軸ケーブルにおいては、溝１０３内にポリエチレン樹脂１０９が充填され、銅パイプ１０１の外周面上にも薄くポリエチレン樹脂が被覆されるため、同軸ケーブルの比誘電率が大きくなってしまう。
【０００８】
同軸ケーブルの比誘電率が大きいことは、同軸ケーブルの低損失化及び細径化を困難とする要因となっている。
【０００９】
そこで、本発明は、前述の実情に鑑みて提案されるものであり、その目的は、比誘電率が小さく、低損失化及び細径化が可能となされた同軸ケーブルを提供することにある。
【課題を解決するための手段】
【００１０】
前述の課題を解決し、前記目的を達成するため、本発明に係る同軸ケーブルは、以下の構成のいずれか一を有するものである。
【００１１】
〔構成１〕
中心導体と中心導体を被覆した絶縁体と絶縁体の外側を覆う外部導体とが同軸構造となされた同軸ケーブルであって、中心導体は、中空管からなり、外周面には螺旋状に溝が形成されており、溝には、この溝に沿って合成樹脂材料からなる中空パイプが埋設されていることを特徴とするものである。
【００１２】
〔構成２〕
構成１を有する同軸ケーブルにおいて、中空パイプの断面形状は、円形状、または、半円形状であることを特徴とするものである。
【発明の効果】
【００１３】
構成１を有する本発明に係る同軸ケーブルにおいては、中空管からなる中心導体の外周面には螺旋状に溝が形成されており、溝には、この溝に沿って合成樹脂材料からなる中空パイプが埋設されているので、溝内に空気層が形成され、同軸ケーブルの合成誘電率が小さくなる。したがって、この同軸ケーブルは、低損失化及び細径化が可能である。
【００１４】
また、溝が中空パイプによって埋められることにより、中心導体の外周面が平滑化されるので、従来の同軸ケーブルで使用されていた内スキンを用いずに絶縁体を中心導体上に直接被覆しても、絶縁体の外周面に凹凸が発生しにくく、電気的特性を安定化させることができる。
【００１５】
構成２を有する本発明に係る同軸ケーブルにおいては、中空パイプの断面形状が、円形状、または、半円形状であることにより、中心導体の外周面を平滑化することができる。
【００１６】
すなわち、本発明は、比誘電率が小さく、低損失化及び細径化が可能となされた同軸ケーブルを提供することができるものである。
【図面の簡単な説明】
【００１７】
【図１】本発明に係る同軸ケーブルの構成を示す斜視図である。
【図２】本発明に係る同軸ケーブルの中心導体の構成を示す側面図である。
【図３】本発明に係る同軸ケーブルの中心導体及び絶縁体の構成を示す断面図である。
【図４】本発明に係る同軸ケーブルの中心導体の溝に埋設される中空パイプの構成を示す断面図である。
【図５】本発明に係る同軸ケーブルの構成の他の例（ＬＣＸ）を示す斜視図である。
【図６】従来の同軸ケーブルの中心導体の構成を示す側面図である。
【図７】従来の同軸ケーブルの中心導体及び絶縁体の構成を示す断面図である。
【発明を実施するための形態】
【００１８】
以下、本発明を実施するための形態について図面を参照して説明する。
【００１９】
図１は、本発明に係る同軸ケーブルの構成を示す斜視図である。
【００２０】
本発明に係る同軸ケーブル１は、図１に示すように、中心導体２と、この中心導体２を被覆した高発泡体からなる絶縁体３と、この絶縁体３の外側を覆う外部導体４とが同軸構造となされ、外部導体４が外被（シース）５により覆われて構成されている。
【００２１】
この実施の形態において、この同軸ケーブルは、外部導体４として金属などの導電体からなる薄膜のテープを絶縁体３の外周面に縦添えした後、エッジ部を溶接して円筒パイプを形成後、スパイラル状に溝をつけたものを用いる、いわゆるフィーダ同軸ケーブルである。
【００２２】
この同軸ケーブル１においては、重量を軽くし、可撓性を向上させるために、中心導体２は、銅（Ｃｕ）、または、アルミニウム（Ａｌ）からなる中空管（パイプ）から構成している。無線ＬＡＮなどの高周波用アンテナとして使用する同軸ケーブルにおいては、中心導体２の交流抵抗値を抑え、伝送損失を低減するため、中心導体２としては、導電率の高い銅パイプを使用することが好ましい。
【００２３】
図２は、本発明に係る同軸ケーブルの中心導体の構成を示す側面図である。
【００２４】
図３は、本発明に係る同軸ケーブルの中心導体及び絶縁体の構成を示す断面図である。
【００２５】
また、中心導体２の外周面には、可撓性を向上させるために、図２及び図３に示すように、螺旋状に溝７が形成されている。この溝７は、中心導体２の外周面において凹状の溝部であり、中心導体２の内周面においては突条部となっている。
【００２６】
そして、同軸ケーブルの低損失化及び細径化を可能とするためには、同軸ケーブルの比誘電率を小さくする必要がある。また、安定した電気的特性を得るためには、絶縁体３の外周面を平滑な面とする必要がある。そのため、この同軸ケーブルにおいては、ポリエチレン（ＰＥ）、または、ポリテトラフルオロエチレン（ＰＴＦＥ）などの合成樹脂材料からなる中空パイプ９を、中心導体２の溝７に沿って巻きつけ、この中空パイプ９を溝７に埋設させてある。絶縁体３は、図３に示すように、これら中心導体２及び中空パイプ９の上を被覆している。
【００２７】
図４は、本発明に係る同軸ケーブルの中心導体の溝に埋設される中空パイプの構成を示す断面図である。
【００２８】
中空パイプ９は、図４中の（ａ）に示すように、断面形状が円形状のものであってもよいし、図４中の（ｂ）に示すように、断面形状が半円形状のものであってもよい。
【００２９】
この同軸ケーブル１においては、中空パイプ９により溝７内に空気層が形成され、同軸ケーブルの合成誘電率が小さくなる。したがって、この同軸ケーブル１は、低損失化及び細径化が可能である。また、溝７が中空パイプ９によって埋められることにより、中心導体４の外周面が平滑化されるので、絶縁体４を中心導体２上に直接被覆しても、絶縁体４の外周面に凹凸が発生しにくく、電気的特性を安定化させることができる。
【００３０】
なお、本発明に係る同軸ケーブルは、前述したフィーダ同軸ケーブルの他、一般的な同軸ケーブルや、漏洩同軸ケーブル（ＬＣＸ）として構成することができる。
【００３１】
図５は、本発明に係る同軸ケーブルの構成の他の例（ＬＣＸ）を示す斜視図である。
【００３２】
本発明に係る同軸ケーブル１を漏洩同軸ケーブル（ＬＣＸ）として構成した場合には、図５に示すように、外部導体４には、同軸内部の電磁エネルギーを外部に漏洩させるために、周期的なスロット部１１が設けられる。すなわち、外部導体４には、ケーブル軸に対して一定周期毎に、長孔状のスロット部１１が設けられている。各スロット部１１は、ケーブル軸に対して所定の角度をもって傾斜されている。
【実施例】
【００３３】
本発明の実施例として、外部導体４として銅テープを縦添えしたものを用いて同軸ケーブル１を作製し、比誘電率の測定を行った。この同軸ケーブル１において、絶縁体３の外径は約３２ｍｍ、絶縁体３をなす高発泡体の発泡度は約７６％であった。また、中心導体２に巻き付け溝７に埋設する中空パイプ９は、ポリエチレン（ＰＥ）からなり、外径が約２ｍｍのものを用いた。
【００３４】
比較例の同軸ケーブルにおいては、中空パイプ９を用いずに、従来の同軸ケーブルと同様に、溝７内にポリエチレン樹脂を充填し、内スキンを被覆した。
【００３５】
測定の結果、中心導体２に中空パイプ９を巻き付けない比較例の同軸ケーブルにおいて、比誘電率は、１．３６〜１．３７であったのに対し、中心導体２に中空パイプ９を巻き付けた実施例の同軸ケーブルにおいては、比誘電率は、１．２８〜１．３０と低くなっていることが確認された。
【産業上の利用可能性】
【００３６】
本発明は、同軸ケーブルに適用され、特に、中心導体として中空管を使用した同軸ケーブルに適用される。
【符号の説明】
【００３７】
１  同軸ケーブル
２  中心導体
３  絶縁体
４  外部導体
５  外被（シース）
７  溝
９  中空パイプ
【図１】
2013041766.tif 000003
【図２】
2013041766.tif 000004
【図３】
2013041766.tif 000005
【図４】
2013041766.tif 000006
【図５】
2013041766.tif 000007
【図６】
2013041766.tif 000008
【図７】
2013041766.tif 000009